(57)【特許請求の範囲】
【請求項１】
２−メトキシ−１，１，１，３，３，３−ヘキサフルオロプロパンとシクロペンタンの混合物のみからなる沸騰冷却器用媒体であって、２−メトキシ−１，１，１，３，３，３−ヘキサフルオロプロパンの含有割合が６５〜９５質量％であり、シクロペンタンの含有割合が５〜３５質量％である沸騰冷却器用媒体を収容した沸騰冷却器を、該沸騰冷却器への入力熱量が２０〜３００Ｗにおいて、該沸騰冷却器内部の圧力が０．０５〜０．３０ＭＰａで作動させる、沸騰冷却器用媒体の使用方法。
【請求項２】
沸騰冷却器用媒体が、２−メトキシ−１，１，１，３，３，３−ヘキサフルオロプロパンの含有割合が６６．５８質量％であり、シクロペンタンの含有割合が３３．４２質量％からなる、請求項１に記載の使用方法。
【請求項３】
沸騰冷却器が、自動車のＰＣＵ用冷却器である、請求項１又は請求項２に記載の使用方法。
【請求項４】
沸騰冷却器の材質が、アルミニウム成分を含む金属であり、沸騰冷却器用媒体の水分量を５０ｐｐｍ以下とすることを特徴とする、請求項３に記載の使用方法。
【請求項５】
沸騰冷却器が、ヒートパイプである、請求項１又は請求項２に記載の使用方法。
【請求項６】
沸騰冷却器が、電子機器の冷却器である、請求項１又は請求項２に記載の使用方法。
【発明の詳細な説明】
【技術分野】
【０００１】
本発明は、２−メトキシ−１，１，１，３，３，３−ヘキサフルオロプロパン（ＨＦＥ−３５６ｍｍｚ）を主成分として含む沸騰冷却器用媒体及びその使用方法に関する。
【０００２】
ヒートパイプなどの熱交換器に封入した作動媒体の蒸発潜熱を利用して半導体素子や電子機器等を冷却する沸騰冷却型の熱交換器が知られている。なお、本明細書において、沸騰冷却器用媒体を、単に作動媒体と呼ぶことがある。
【０００３】
従来、潜熱を利用した沸騰冷却型の熱交換器に使用する作動媒体としては、水、エタノール、フロン、アンモニア等が用いられていた。水は、液体潜熱が大きく、取り扱い性がよく、安全性が高いなど点で優れた作動媒体であるが、作動安定性が悪く、凝固点が高くて、寒冷地では凍結するので実用上問題がある。
【０００４】
アンモニアは、銅の容器を損傷させ、又、漏洩時の悪臭、毒性に問題がある。エタノールはアルミニウム容器およびステンレス容器を損傷させる。フロンは、熱伝達効率に優れ、比較的安定性のある作動媒体として使用されてきたが、フロンが大気中でオゾン層を破壊する環境への負荷の観点から、将来的に使用することが懸念されている。
【０００５】
このような背景のもと、代替フロンとして、オゾン層破壊係数や地球温暖化係数など環境への負荷が小さい炭化水素系の作動媒体が知られている。例えば、特許文献１には、ｎ−ペンタンなどの炭化水素類をアルミニウム製のヒートパイプの作動媒体として使用することが開示されている。
【０００６】
また、その他の代替する作動媒体として、ＨＦＥ（ハイドロフルオロエーテル）系の化合物をヒートパイプ用の作動媒体として用いる各種検討がされている。
【０００７】
例えば、特許文献２には、１，１，２，２−テトラフルオロエチル−２，２，２−トリフルオロエチルエーテル（ＨＦＥ−３４７ｐｃ−ｆ）などのＨＦＥ（ハイドロフルオロエーテル）をヒートパイプなどの熱交換器に用いること、および、熱交換器の作動方法が開示されている。
【０００８】
また、特許文献３には、コンテナ内に、ＨＦＣ−１３４ａとＨＦＥ−３４７ｐｃ−ｆとの混合物からなる作動媒体（作動液とも呼ぶ）が封入されており、作動媒体におけるＨＦＣ−１３４ａとＨＦＥ−３４７ｐｃ−ｆとの混合比率が、常温においてＨＦＣ−１３４ａ、１００ｖｏｌ％に対して、ＨＦＥ−３４７ｐｃ−ｆが０．５〜１．５ｖｏｌ％であるヒートパイプが開示されている。
【先行技術文献】
【特許文献】
【０００９】
【特許文献１】特開２００１−５５５６４号公報
【特許文献２】特開２００６−３０７１７０号公報
【特許文献３】特開２０１０−６５８７９号公報
【発明の概要】
【発明が解決しようとする課題】
【００１０】
特許文献１〜３には、炭化水素類やＨＦＥ系の化合物を作動媒体に用いることについて開示されているが、これらの化合物は、環境への負荷、不燃性、毒性、作動媒体の冷却性能、作動媒体の作動圧力などの観点から総合的に未だ十分なものがないのが現状である。
【００１１】
そこで、本発明は、新規な沸騰冷却器用作動媒体を提供することを目的とする。
【課題を解決するための手段】
【００１２】
すなわち、本発明は、２−メトキシ−１，１，１，３，３，３−ヘキサフルオロプロパン（以下、ＨＦＥ−３５６ｍｍｚと呼ぶ）を主成分として含む、沸騰冷却器用媒体である。なお、本明細書において、ＨＦＥ−３５６ｍｍｚは２−メトキシ−１，１，１，３，３，３−ヘキサフルオロプロパンを意味する。
【００１３】
また、本発明の沸騰冷却器用媒体は、自動車のＰＣＵ（パワーコントロールユニット）用冷却器の作動媒体として好適に適用できる。
【発明の効果】
【００１４】
本発明によれば、環境への負荷、不燃性、毒性、作動媒体の冷却性能など総合的に優れた沸騰冷却器用媒体を提供することができる。
【図面の簡単な説明】
【００１５】
【図１】実施例及び比較例に用いた実験装置の概略図である。
【図２】入力熱量（Ｗ）と作動液の熱抵抗（℃／Ｗ）の関係を示すグラフである。
【図３】入力熱量（Ｗ）と作動圧力（ＭＰａ）の関係を示すグラフである。
【図４】図２の拡大図である。
【発明を実施するための最良の形態】
【００１６】
以下に、本発明の作動媒体が適用可能な沸騰冷却器について説明する。本明細書における「沸騰冷却器」とは、作動媒体の蒸発、沸騰、凝縮等の現象において、作動媒体の蒸発潜熱を利用する冷却システムを意味する。
【００１７】
沸騰冷却器は、耐圧性の密閉容器などの内部に貯留する作動媒体（液）が、発熱体の熱を受けて沸騰する受熱部と、この受熱部で沸騰した作動媒体（蒸気）の熱を外部に放出する放熱部とを有する冷却システムである。原理としては、作動媒体の沸騰及び凝縮による相変化で冷却効果を発現する（後述の実施例１〜３参照）。なお、本発明おいて、沸騰冷却器における作動液を循環させる駆動力は、重力または毛管力を利用する方式、ポンプなどの機械仕事を用いる方式など、特に限定されるものではない。
【００１８】
次に、ＨＦＥ−３５６ｍｍｚについて説明する。
【００１９】
＜ＨＦＥ−３５６ｍｍｚ＞
ＨＦＥ−３５６ｍｍｚは、分子内にエーテル酸素を含み、水酸基ラジカルとの反応性が高いため、オゾン破壊係数（ＯＤＰ）や地球温暖化係数（ＧＷＰ）が極めて小さく環境負荷が小さい。また、ＨＦＥ−３５６ｍｍｚは微燃性又は難燃性であり、毒性がない。なお、ＨＦＥ−３５６ｍｍｚの沸点は、大気圧下において５０℃、大気寿命は２．０ヶ月（Ｔｈｅ  Ｊｏｕｒｎａｌ  ｏｆ  Ｐｈｙｓｉｃａｌ  Ｃｈｅｍｉｓｔｒｙ  Ａ  ２００５，１０９，４７６６−４７１１）、地球温暖化係数（ＧＷＰ）は、２５（Ｅｎｖｉｒｏｎｍｅｎｔａｌ  Ｓｃｉｅｎｃｅ  ＆  Ｔｅｃｈｎｏｌｏｇｙ  ２００８，４２，１３０１−１３０７）である。
【００２０】
ＨＦＥ−３５６ｍｍｚは、文献記載の公知の化合物であり、例えば、アルカリ存在下、１，１，１，３，３，３−ヘキサフルオロイソプロアルコールとジメチル硫酸との反応により得ることができる（米国特許３，３４６４４８号）。また、３，３，３−トリフルオロ−２−トリフルオロメチル−２−メトキシプロピオン酸メチルを出発原料として有機塩基を触媒として加熱分解して得ることもできる（特開２０１１−１１６６６１号公報）。
【００２１】
ＨＦＥ−３５６ｍｍｚは、単独でも使用できるが、本発明の作動媒体の効果を損じない範疇において、適宜必要に応じて、他の化合物を添加することもできる。ＨＦＥ−３５６ｍｍｚは、作動媒体中（１００質量％）、主成分として、質量％以上、好ましくは７５質量％以上、より好ましくは８０質量％以上、含むことが望ましい。５０質量％未満である場合、本発明の作動媒体の効果（作動媒体の安定性、冷却性能等）が十分得られにくくなるため好ましくない。
【００２２】
ＨＦＥ−３５６ｍｍｚに添加するその他の化合物としては、その他のフッ素化エーテル類、フッ素化オレフィン類、ハロカーボン類（ＨＣ）、ハイドロフルオロカーボン類（ＨＦＣ）、アルコールや飽和炭化水素などの炭化水素類、潤滑油、安定剤、など他の添加化合物を添加するようにしてもよい。また、これらの添加化合物は以下に列挙する単体もしくは２種以上の混合物として使用することができる。なお、これらの化合物は、作動媒体中、５０質量％以下にすることが好ましい。
【００２３】
以下に、他の添加化合物について説明する。
【００２４】
＜フッ素化エーテル類＞
その他のフッ素化エーテル類としては、トランス−１−メトキシ−３，３，３−トリフルオロプロペン（ＣＦ3ＣＨ＝ＣＨＯＣＨ3：  沸点６２℃）、１，１，２，２−テトラフルオロ−１−メトキシエタン（ＣＦ2ＨＣＦ2ＯＣＨ3：  沸点３７℃）、２，２，２−トリフルオロエチルトリフルオロメチルエーテル（ＣＦ３ＣＨ２ＯＣＦ3：  沸点６℃）、３Ｈ−ヘキサフルオロプロピルトリフルオロメチルエーテル（ＣＨＦ２ＣＦ２ＣＦ２ＯＣＦ3：  沸点２３−３４℃）、２，２，３，３，３−ペンタフルオロプロピルトリフルオロメチルエーテル（ＣＦ３ＣＦ２ＣＨ２ＯＣＦ3：  沸点２６℃）、へプタフルオロ−１−メトキシプロパン（ＣＦ３ＣＦ２ＣＦ２ＯＣＨ3：  沸点３４℃）、ヘプタフルオロプロピル−１，１，２，２−テトラフルオロエチルエーテル（ＣＦ３ＣＦ２ＣＦ２ＯＣＨＦＣＦ3：  沸点４１℃）、ジフルオロメチル−２，２，３，３，３−ペンタフルオロプロピルエーテル（ＣＦ３ＣＦ２ＣＦ２ＯＣＨＦ２：  沸点４６℃）、１，１，２，３，３，３−ヘキサフルオロプロピル−ジフルオロメチルエーテル（ＣＦ３ＣＨＦＣＦ２ＯＣＨＦ２：  沸点４７℃）、１，２−ジクロロトリフルオロエチルトリフルオロメチルエーテル（ＣＦ２ＣｌＣＦＣｌＯＣＦ３：  沸点４１℃）、オクタフルオロ−３−メトキシプロペン（ＣＦ2＝ＣＦＣＦ2ＯＣＦ3：  沸点１０℃）、を挙げることができる。
【００２５】
＜フッ素化オレフィン類＞
シス−１，３，３，３−テトラフルオロプロペン（ｃｉｓ−ＣＦ３ＣＨ＝ＣＨＦ：沸点９℃）、トランス−１，１，１，４，４，４−ヘキサフルオロ−２−ブテン（ｔｒａｎｓ−ＣＦ３ＣＨ＝ＣＨＣＦ３：沸点９℃）、シス−１，１，１，４，４，４−ヘキサフルオロ−２−ブテン（ｃｉｓ−ＣＦ３ＣＨ＝ＣＨＣＦ３：沸点３３℃）、トランス−１，１，１，３−テトラフルオロ−２−ブテン（ｔｒａｎｓ−ＣＦ３ＣＨ＝ＣＦＣＨ３：沸点１７℃）、シス−１，１，１，３−テトラフルオロ−２−ブテン（ｃｉｓ−ＣＦ３ＣＨ＝ＣＦＣＨ３：沸点４９℃）、１，１，２，３，３，４，４−ヘプタフルオロ−１−ブテン（ＣＨＦ２ＣＦ２ＣＦ＝ＣＦ２：沸点２１℃）、３−（トリフルオロメチル）−３，４，４，４−テトラフルオロ−１−ブテン（（ＣＦ３）２ＣＦＣＨ＝ＣＨ２：沸点２３℃）、２，４，４，４−テトラフルオロ−１−ブテン（ＣＦ３ＣＨ２ＣＦ＝ＣＨ２：沸点３０℃）、３，３，３−トリフルオロ−２−（トリフルオロメチル）−１−プロペン（（ＣＦ3）2ＣＨ＝ＣＨ２：  沸点１４℃）、トランス−１−クロロ−３，３，３−トリフルオロプロペン（ｔｒａｎｓ−ＣＦ３ＣＨ＝ＣＨＣｌ：沸点１９℃）、シス−１−クロロ−３，３，３−トリフルオロプロペン（ｃｉｓ−ＣＦ３ＣＨ＝ＣＨＣｌ：沸点３９℃）、トランス−１，２−ジクロロ−３，３，３−トリフルオロプロペン（ｔｒａｎｓ−ＣＦ３ＣＣｌ＝ＣＨＣｌ：沸点６０℃）、シス−１，２−ジクロロ−３，３，３−トリフルオロプロペン（ｃｉｓ−ＣＦ３ＣＣｌ＝ＣＨＣｌ：沸点５３℃）、１−クロロ−ペンタフルオロプロペン（ＣＦ３ＣＦ＝ＣＦＣｌ：沸点８℃）、２−クロロ−３，３，３−トリフルオロプロペン（ＣＦ３ＣＣｌ＝ＣＨ２：沸点１５℃）を挙げることができる。
【００２６】
＜ハロカーボン類（ＨＣ）、ハイドロフルオロカーボン類（ＨＦＣ）＞
ハロカーボン類としては、ハロゲン原子を含む塩化メチレン、トリクロロエチレン、テトラクロロエチレン、ハイドロフルオロカーボン類としては、ジフルオロメタン（ＨＦＣ−３２）、１，１，１，２，２−ペンタフルオロエタン(ＨＦＣ−１２５)、フルオロエタン(ＨＦＣ−１６１)、１，１，２，２−テトラフルオロエタン(ＨＦＣ−１３４)、１，１，１，２−テトラフルオロエタン(ＨＦＣ−１３４ａ)、１，１，１−トリフルオロエタン(ＨＦＣ−１４３ａ)、ジフルオロエタン(ＨＦＣ−１５２ａ)、１，１，１，２，３，３，３−ヘプタフルオロプロパン（ＨＦＣ−２２７ｅａ）、１，１，１，２，３−ペンタフルオロプロパン（ＨＦＣ−２３６ｅａ）、１，１，１，３，３，３−ヘキサフルオロプロパン（ＨＦＣ−２３６ｆａ）、１，１，１，３，３−ペンタフルオロプロパン（ＨＦＣ−２４５ｆａ）、１，１，１，２，３−ペンタフルオロプロパン（ＨＦＣ−２４５ｅｂ）、１，１，２，２，３−ペンタフルオロプロパン（ＨＦＣ−２４５ｃａ）、１，１，１，３，３−ペンタフルオロブタン（ＨＦＣ−３６５ｍｆｃ）、１，１，１，３，３，３−ヘキサフルオロイソブタン（ＨＦＣ−３５６ｍｍｚ）、１，１，１，２，２，３，４，５，５，５−デカフルオロペンタン（ＨＦＣ−４３−１０−ｍｅｅ）等を挙げることができる。
【００２７】
＜アルコール類＞
アルコール類としては、炭素数１〜４のメタノール、エタノール、ｎ−プロパノール、ｉ−プロパノール、ｎ−ブタノール、ｉ−ブタノール、２，２，２−トリフルオロエタノール、ペンタフルオロプロパノール、テトラフルオロプロパノール等を挙げることができる。
【００２８】
＜炭化水素類＞
炭化水素類としては、炭素数３〜８のプロパン、ブタン、ペンタン、シクロペンタン、メチルシクロペンタン、ヘキサン、シクロヘキサンを挙げることができ、種々の異性体が適用可能であり、具体的には、プロパン、ｎ−ブタン、ｉ−ブタン、ネオペンタン、ｎ−ペンタン、ｉ−ペンタン、シクロペンタン、メチルシクロペンタン、ｎ−ヘキサン、シクロヘキサン等の飽和炭化水素から選ばれる少なくとも１以上の化合物を混合することができる。これらのうち、特に好ましい物質としてはネオペンタン、ｎ−ペンタン、ｉ−ペンタン、シクロペンタン、メチルシクロペンタン、ｎ−ヘキサン、シクロヘキサン等を挙げることができる。
【００２９】
上記の炭化水素類を加えるにおいて、炭化水素類を混合する際の好ましい組成比は、作動媒体の地球温暖化係数（ＧＷＰ）と沸騰冷却器の使用における作動圧力（作動媒体の沸点）を考慮して調整することが好ましい。好ましい組成比については、ＨＦＥ−３５６ｍｍｚの含有割合が、５０〜９５質量％、より好ましくは、６５〜９０質量％であり、炭化水素の含有割合が、５〜５０質量％、より好ましくは、１０〜３５質量％にすることが好ましい。
【００３０】
上記の炭化水素のうち、ＨＦＥ−３５６ｍｍｚと共沸組成物又は共沸様組成物を形成する観点から、炭化水素は、シクロペンタン、ｎ−ヘキサン、シクロヘキサンを用いることが特に好ましい。これらの組成物は本発明の沸騰冷却器用作動媒体として特に好適に使用できる。共沸組成物又は共沸様組成物を形成することによって、作動媒体の蒸発、凝縮時の温度変化、気液の組成変化を最小にし、作動媒体の安定性を向上と、熱伝達効率の低下を防ぐことができる。
【００３１】
なお、本明細書において、共沸組成物とは、一定圧力下で液体と気相の組成間に差がなく、あたかも一つの物質のように挙動する組成物であり、蒸発、凝縮を繰り返した後の組成物の組成に変化を生じないものである。一方、共沸様組成物とは、その蒸気組成と液体組成とがほぼ同一であり、蒸発、凝縮を繰り返した後の組成物の組成変化が無視できる程度のものである。
【００３２】
共沸組成物又は共沸様組成物の具体的な組成比としては、ＨＦＥ−３５６ｍｍｚが６５〜９５質量％及びシクロペンタンが５〜３５質量％からなる組成物、ＨＦＥ−３５６ｍｍｚが８０〜９５質量％及びｎ−ヘキサンが５〜２０質量％からなる組成物、ＨＦＥ−３５６ｍｍｚが８５〜９５質量％及びシクロヘキサン５〜１５質量％からなる組成物を用いるとよい。中でも、上記の組成物を沸騰冷却器用作動媒体に用いた場合、作動液の熱抵抗が低く、優れた熱伝達特性を得ることができる（後述の実施例参照）。
【００３３】
＜安定剤＞
熱安定性、耐酸化性等を改善する安定剤としては、ニトロ化合物、エポキシ化合物、フェノール類、イミダゾール類、アミン類等が挙げられる。また、α―メチルスチレンやｐ−イソプロペニルトルエン、イソプレン類、プロパジエン類、テルペン類等の炭化水素等を含有してもよい。これらの化合物は一般公知のものを使用するとよい。
【００３４】
安定化剤は、予め作動媒体に添加してもよく、また、単独で沸騰冷却機内に添加してもよい。このとき、安定化剤の使用量は、特に限定されないが、主作動媒体（１００質量％）に対して、０．００１〜１０質量％が好ましく、 ０．０１〜５質量％がより好ましく、０．０２〜２質量％がさらに好ましい。
【００３５】
本発明の作動媒体は、液体の蒸発潜熱を利用するヒートパイプなどの冷却システムに広く適用でき、例えば、半導体や電子機器等の冷却器などに利用でき、中でも特に、ハイブリッド車や電気自動車等の車両に搭載されたＰＣＵ（パワーコントロールユニット）用冷却器の作動媒体として好適に利用できる。以下に、ハイブリッド車や電気自動車等の車両に搭載されたＰＣＵ（パワーコントロールユニット）の冷却器について説明する。
【００３６】
電気自動車、燃料電池自動車、内燃機関（エンジン）と電気モーターとの両者を有して走行するハイブリッド車両等は、通常のガソリン車に加えて、モーターやＰＣＵ（パワーコントロールユニット）、電池などのユニットが追加されているため、重量は重く、居住スペースは狭く、価格は高くなっているのが現状である。
【００３７】
ＰＣＵ（パワーコントロールユニット）は、モーターを駆動制御するインバータと電池電圧を昇圧するコンバーターなどで構成されており、ハイブリッド車や電気自動車などの次世代環境車の普及には、インバータの小型化・低コスト化、高性能化が重要となる。車載用インバータを小型化するためには、発熱によるエネルギーロスの抑制が課題となっており、多くのパワー半導体が集積されているパワーモジュールの冷却性能を高めること（冷却器の高性能化）が必要となる。
【００３８】
ＰＣＵ用冷却器の使用において、作動媒体の要求される具体的な性能としては、冷却性能の向上に加えて、１）オゾン層破壊係数がゼロ（ＯＤＰ＝０）であること。２）地球温暖化係数が小さいこと（ＧＷＰ＜１５０）。３）可燃性や毒性が極めて少ないこと。４）熱的安定性が高く、分解、変化しないこと。５）熱交換器の材質との適合性が良いこと（例えば、作動媒体と熱交換器の材質との反応性）などが挙げられる。
【００３９】
ＰＣＵ用冷却器（熱交換器）の冷却性能向上には、熱伝達効率を向上させるために、標準沸点の低い作動媒体を使用すればよいが、沸点が低すぎると熱交換器の内部圧力が高くなり、熱交換器の容器に対する負担が大きくなる。そのため、装置の気密性、耐圧性能の観点から、大掛かりな装置が必要となり、コスト高に繋がる。一方、作動媒体の沸点が高くなると、入力熱量が少ない場合に蒸発しにくくなり熱抵抗が増加する（熱伝達効率が悪くなる）。
【００４０】
例えば、材質として強度的に懸念のあるアルミニウム製の熱交換器を使用する場合、気密性、耐圧性の問題から熱交換器の設計変更による装置のコスト高が懸念される。そのため、熱交換器の容器に対する負担の観点から、ＰＣＵ用冷却器の使用において、適切な作動圧力を維持することが可能な作動媒体を用いることも重要な要素である。適切な作動圧力の目安としては、作動圧力が微減圧から微加圧の範囲が好ましく、例えば、０ＭＰａ〜４ＭＰａ（絶対圧）、特に好ましくは、０．０５ＭＰａ〜０．５ＭＰａの範囲である。
【００４１】
従来の炭化水素類やＨＦＥ系の作動媒体では、上記の１）〜５）の性能を両立させた沸騰冷却器用媒体は、現在のところ報告されていないのが現状である。特に、ＨＦＥの化学構造が異なれば作動媒体としての性能は当然異なるため、特定の用途に応じて使用可能な化合物の特定は容易でない問題点もある。
【００４２】
本発明のＨＦＥ−３５６ｍｍｚを主成分とする作動媒体は、地球温暖化係数など環境への負荷が小さく（ＯＤＰ＝０、ＧＷＰ＜１５０）、微燃又は難燃性であり安全性が高く、種々の金属材料に対して、熱的、化学的安定性が高く適合性が良好であり（実施例、熱安定性試験参照）、さらに、熱交換器に対して大きな負担を与えることなく、適切な作動圧力を維持することが可能なため（実施例１〜４参照）、上記の１）〜５）の性能を両立するものである。したがって、本発明の作動媒体は、ハイブリッド車や電気自動車等の車両に搭載されたＰＣＵ（パワーコントロールユニット）の冷却器に好適に使用することができる。
【００４３】
なお、本発明の作動媒体を用いる場合、ＰＣＵ用冷却器（熱交換器）の材質としては、種々の金属材料を使用することができ、例えば、純アルミニウムやアルミニウム合金などのアルミニウム、ニッケル、ステンレス鋼、鉄、銅など汎用的な金属材料を挙げることができる。また、アルミニウム成分を含む金属を使用する場合、作動媒体と金属の反応性から、作動媒体内の水分量を極力少なくする（例えば、５０ｐｐｍ以下）ことが好ましい。
【００４４】
＜使用方法＞
本発明の作動媒体を用いた沸騰冷却器は、入力熱量に対応する作動温度が−５０〜１５０℃、特に好ましくは、０℃〜１００℃、で作動させることができる。例えば、上記の作動温度範囲において、熱交換器の内部圧力を０ＭＰａ〜４ＭＰａとすることができ、熱交換器に対して大きな負担を与えることなく、適切な作動圧力を維持することが可能となる。
【実施例】
【００４５】
以下、実施例によって本発明を説明するが、本発明は実施例に限定されるものではない。比較例１としては、従来の一般的な沸騰冷却装置に使用される水とエタノールを混合した二成分冷媒を作動媒体として使用した。また、比較例２としては、ＨＦＥ系の作動媒体として、ＨＦＥ−３４７ｐｃ−ｆを使用した。なお、実施例において、作動媒体を作動液と呼ぶことがある。
【００４６】
［実施例１］
外径１６ｍｍ、肉厚１．０ｍｍ、長さ８００ｍｍのパイプ状のＳＵＳ３１６製コンテナによって形成された沸騰冷却器のコンテナ内にＨＦＥ−３５６ｍｍｚとシクロペンタンとの混合物からなる作動液３０ｍＬが封入した。なお、作動液におけるＨＦＥ−３５６ｍｍｚとシクロペンタンとの混合比率は、質量比で６６．５８：３３．４２である。
【００４７】
図１に示すように、沸騰冷却器１００の一端側の略半部にシーズヒーター１を巻回し、均温化を図るために断熱材５で覆って蒸発部２０とした。また、沸騰冷却器１００の他端側の略半部に、シーズヒーター１と沸騰冷却器１００の長さ方向に間隔をおくように水冷ジャケット３を装着して凝縮部４０とした。沸騰冷却器１００における蒸発部２０と凝縮部４０の間の部分が断熱部である。
【００４８】
蒸発部２０と凝縮部４０には、それぞれ蒸発部温度計２と凝縮部温度計４を設置して温度を測定した。沸騰冷却器１００内の圧力を測定するために圧力計８を設置した。また、蒸発部２０への入力熱量をスライダックより制御した。
【００４９】
図１に示すように、蒸発部２０が下方、凝縮部４０が上方とし、沸騰冷却器１００を鉛直に設置し、シーズヒーターにより沸騰冷却器１００の蒸発部２０を加熱しながら、水冷ジャケット３内に冷却水（入口温度＝２５℃、供給速度＝８．５ｇ／ｓｅｃ）を供給、循環させて凝縮部４０を冷却した。シーズヒーターによる入力熱量（Ｗ）を種々変更し、入力熱量（Ｗ）と沸騰冷却器１００内での作動液熱抵抗（℃／Ｗ）との関係を求めた。その結果を図２に示す。なお、図２における入力熱量（Ｗ）において、対応する作動温度は、０Ｗ〜３００Ｗにおいて、沸騰冷却器内部の温度は、およそ３０〜７０℃である。
【００５０】
作動液熱抵抗（℃／Ｗ）は、蒸発部中心部における内部温度と、凝縮部中心部における内部温度との差をシーズヒーターの入力熱量で除することにより求めた。シーズヒーターによる入力熱量（Ｗ）を種々変更し、入力熱量（Ｗ）と沸騰冷却器内での作動圧力との関係を求めた。その結果を図３に示す。
【００５１】
［実施例２］
作動液を、ＨＦＥ−３５６ｍｍｚとｎ−ヘキサンの混合組成物とし、混合比率は、質量比で８２．０８：１７．９２とする以外は、実施例１と同じ条件とした。
【００５２】
［実施例３］
作動液を、ＨＦＥ−３５６ｍｍｚとシクロペンタンとの混合組成物とし、混合比率は、質量比で７６．０：２４．０とする以外は、実施例１と同じ条件とした。
【００５３】
［実施例４］
作動液として、ＨＦＥ−３５６ｍｍｚ単独の媒体を使用する以外は、実施例１と同じ条件とした。
【００５４】
［比較例１］
作動液を、水とエタノールの混合組成物とし、混合比率は、質量比で５０．０：５０．０とする以外は、実施例１と同じ条件とした。
【００５５】
［比較例２］
作動液として、１，１，２，２−テトラフルオロエチル−２，２，２−トリフルオロエチルエーテル（ＨＦＥ−３４７ｐｃ−ｆ）単独の媒体を使用する以外は、実施例１と同じ条件とした。
【００５６】
［参考例１］
また、参考例として、シクロペンタン単独の媒体を使用する以外は、実施例１と同じ条件とした。
【００５７】
図２に示す結果から、比較例１においては、シーズヒーターの入力熱量が５０Ｗ以下では熱抵抗が急激に増加していることから、入力熱量が少ない場合に作動液が蒸発しにくくなり、熱輸送が効率的に行われていないことがわかる。これに対し、実施例１から４においては、シーズヒーターの入力熱量が２０から３００Ｗの範囲において熱抵抗の急激な変化はなく、かつ広い入力熱量の範囲において、比較例１よりも熱抵抗が小さいことから、熱伝達が効率的に行われていることがわかる。また、実施例１〜４の作動媒体は比較例２よりも熱伝達効率が優れていることもわかる。
【００５８】
図３に示す結果から、比較例１においては、入力熱量が２０から３００Ｗの範囲において、沸騰冷却器内部が常に大気圧以下すなわち負圧であることがわかる。これに対し、実施例１から４にて、シーズヒーターの入力熱量が２０から３００Ｗの範囲において、沸騰冷却器内部の圧力は、０．０５〜０．３０ＭＰａであり、沸騰冷却器を構成する材料の耐圧性能の観点からも良好な作動圧力であるといえる。特に、ＨＦＥ−３５６ｍｍｚとシクロペンタンを所定の組成比で混合することによって、適切な作動圧力を示していることが分かる（実施例１、３）。
【００５９】
また、図４の作動液熱抵抗の結果から、ＨＦＥ−３５６ｍｍｚ単独（実施例４）とシクロペンタン単独（参考例１）では、それぞれ単独では、同等の作動液熱抵抗である。しかしながら、驚くべきことに、実施例１及び実施例３に示すように、ＨＦＥ−３５６ｍｍｚとシクロペンタンを所定の組成比で混合することによって、格別顕著に、作動液熱抵抗が低下しており、沸騰冷却器として使用した際の熱伝達特性が向上していることが分かる。
【００６０】
また、以下に示す作動媒体を用いて熱安定性試験を行った。
【００６１】
実施例１：ＨＦＥ−３５６ｍｍｚ／シクロペンタン＝６６．５８：３３．４２（混合比率は質量比）
実施例３：ＨＦＥ−３５６ｍｍｚ／シクロペンタン＝７６．０：２４．０（混合比率は質量比）
実施例４：ＨＦＥ−３５６ｍｍｚ
ＪＩＳ−Ｋ−２２１１「冷凍機油」のシールドチューブテストに準拠して、作動媒体１．０ｇと金属片（鉄、銅、アルミニウムの各線）をガラス試験管に封入し、１７５℃に加熱して２週間保持した。２週間後の作動媒体の外観、純度、酸分（Ｆ−イオン）を測定し、熱安定性の評価を行った。得られた結果を表１に示す。
【表１】
0005903998.tif 000002
【００６２】
表１に示した結果から明らかなように、本発明の作動媒体は熱安定性に優れており、鉄、銅、アルミニウムとの相性に優れていることがわかる。
【符号の説明】
【００６３】
１００  沸騰冷却器
２０    蒸発部
４０    凝縮部
１      シーズヒーター
２      蒸発部温度計
３      水冷ジャケット
４      凝縮部温度計
５      断熱材
６      ジャケット冷却水入口
７      ジャケット冷却水出口
８      圧力計
【図１】
0005903998.tif 000003
【図２】
0005903998.tif 000004
【図３】
0005903998.tif 000005
【図４】
0005903998.tif 000006